(57)【要約】【課題】被固定部に不陸があってもカバー部材の端部を簡単に接合できる。【解決手段】改装サッシは、建物の開口部に設けた既設枠と、既設枠の内側に取り付けた新設枠と、既設枠の屋外側を覆うカバー部材１３とを備えた。縦枠カバー部材２２は頂部の一方に既設縦枠９と新設縦枠１７との間に進入する長尺の側部２２ａを設け、新設縦枠１７との間に止水材４６を設けた。縦枠カバー部材２２の他方に既設縦枠９のカバー装着部５２を固定した。カバー装着部５２は短尺の側部２２ｂの端部に設けた上部開口を有するボックス部２２ｃとその底部２２ｄを貫通して既設屋外側端部９ｃに固定する固定ねじｎ１１とを設けた。底部２２ｄには固定ねじｎ１１の両側に当接リブ４８を設けた。当接リブ４８は切り欠きが容易であり、切り欠いて既設屋外側端部９ｃに装着する切り欠け部４８ａを形成した。【選択図】図６
2018080546.tif 000002
【特許請求の範囲】
【請求項１】
建物の開口部に設けた建具用の枠の屋外側の面を囲うカバー部材であって、
前記建具用の枠を囲うカバー本体と、
前記カバー本体に設けた受け部に取り付けられていて被固定部に固定する固定具と、
前記受け部に設けられていて前記被固定部に当接可能な当接部材とを備え、
前記当接部材は切断可能であることを特徴とするカバー部材。
【請求項２】
前記固定具は前記被固定部に固定させる固定ねじであり、
前記当接部材は前記固定ねじの両側で前記受け部から延びている請求項１に記載されたカバー部材。
【請求項３】
建物の開口部に設けられた既設枠と、
前記既設枠の内側に取り付けられた新設枠と、
前記既設枠の屋外側を覆うカバー部材と、を備えた改装サッシであって、
前記カバー部材の受け部に取り付けられていて被固定部に固定する固定具と、
前記受け部に設けられていて前記被固定部に当接可能な当接部材とを備え、
前記当接部材は部分的に切断された切り欠け部を有し、前記切り欠け部の内側に前記既設枠の一部が装着されていることを特徴とする改装サッシ。
【請求項４】
建物の開口部に設けられた既設枠の内側に新設枠を取り付ける工程と、
前記既設枠の屋外側をカバー部材で囲う工程と、
前記カバー部材に設けた受け部から突出する当接部材を被固定部に当接させて固定具によって前記被固定部に固定する工程とを備え、
前記当接部材を被固定部に当接させる際に、前記被固定部の不陸に応じて前記当接部材を一部切断して前記被固定部に装着させるようにしたことを特徴とする改装サッシの施工方法。
【発明の詳細な説明】
【技術分野】
【０００１】
本発明は、住宅等の建物を改装する際に既設枠等を覆うカバー部材、このカバー部材を備えた改装サッシ及び改装サッシの施工方法に関する。
【背景技術】
【０００２】
従来、サッシの改装を行う場合に、改装サッシの枠である新設枠を既設枠や躯体にネジなどの固定具で固定している。例えば特許文献１に記載された改装サッシでは、カバー部材で既設枠の屋外側の面を覆うことで古い既設枠を覆い隠して意匠性を向上させていた。しかも、既設枠をカバー部材で覆い隠す際、カバー部材の一方の端部を建物の外壁にねじ固定し、他方の端部は既設枠と新設枠の間に延ばして止水材でシールしている。
また、既設枠の縦枠の見付け面が大きい場合等にはカバー部材の一方の端部を、建物の外壁に代えて既設枠の縦枠等にねじ固定することもあった。
【先行技術文献】
【特許文献】
【０００３】
【特許文献１】特開２０１５−１３７５３２号公報
【発明の概要】
【発明が解決しようとする課題】
【０００４】
しかしながら、上述したカバー部材の一方の端部を建物の外壁や既設枠等に固定する際、外壁に不陸等があったりカバー部材の一方の端部に直交する既設横枠が他の面より突出したりして同一面でないと、カバー部材を既設縦枠と既設横枠とに跨って当接できず、段差で隙間が空いてしまう欠点があった。これに対し、外壁の不陸部分や既設枠の突出する枠体、或いはカバー部材を切除することは煩雑であり、施工に手間がかかるという不具合があった。
【０００５】
本発明は、このような実情に鑑みてなされたものであり、外壁や既設枠等の被固定部に不陸があったとしてもカバー部材の端部を簡単に接合できるようにしたカバー部材、改装サッシ及び改装サッシの施工方法を提供することを目的とする。
【課題を解決するための手段】
【０００６】
上記目的を達成するため、本発明に係るカバー部材は、建物の開口部に設けた建具用の枠の屋外側の面を囲うカバー部材であって、建具用の枠を囲うカバー本体と、カバー本体に設けられた受け部に取り付けられていて被固定部に固定する固定具と、受け部に設けられていて被固定部に当接可能な当接部材とを備え、当接部材は切断可能であることを特徴とする。
本発明によれば、カバー本体の当接部材を外壁や既設枠等の被固定部に固定する際に被固定部に不陸があったとしても当接部材の一部を切断して切り欠け部を形成することが容易であり、切り欠け部を装着することで不陸を吸収してカバー部材を被固定部に固定具で固定できる。
【０００７】
また、固定具は被固定部に固定させる固定ねじであり、当接部材は固定ねじの両側で受け部から延びていることが好ましい。
固定ねじの両側に当接部材を設けたため、当接部材の一部を切断した場合でも安定して被固定部に当接できて固定ねじによる締め込み固定が行える。
【０００８】
本発明に係る改装サッシは、建物の開口部に設けられた既設枠と、既設枠の内側に取り付けられた新設枠と、既設枠の屋外側を覆うカバー部材とを備えた改装サッシであって、カバー部材の受け部に取り付けられていて被固定部に固定する固定具と、受け部に設けられていて被固定部に当接可能な当接部材とを備え、当接部材は部分的に切断された切り欠け部を有し、切り欠け部の内側に既設枠の一部が装着されていることを特徴とする。
本発明によれば、改装サッシの新設枠を既設枠に装着し、カバー部材で既設枠を覆って当接部材を被固定部に固定する際に被固定部に不陸があったとしても当接部材の一部を切断して切り欠け部を形成することが容易であり、これによって当接部材の切り欠け部を不陸に装着して吸収し固定具で被固定部に固定できる。
【０００９】
本発明による改装サッシの施工方法は、建物の開口部に設けられた既設枠の内側に新設枠を取り付ける工程と、既設枠の屋外側をカバー部材で囲う工程と、カバー部材に設けた受け部から突出する当接部材を被固定部に当接させて固定具によって被固定部に固定する工程とを備え、当接部材を被固定部に当接させる際に被固定部の不陸に応じて当接部材を一部切断して被固定部に装着させるようにしたことを特徴とする。
【発明の効果】
【００１０】
本発明によるカバー部材、改装サッシ及びその施工方法によれば、カバー部材の固定具を設けた受け部に切断が容易な当接部材を設置したため、当接部材の一部を切り欠いて被固定部の不陸を吸収して装着し被固定部と当接させて固定できる。
【図面の簡単な説明】
【００１１】
【図１】本発明の実施形態による改装サッシの概略構成を示す要部分解斜視図である。
【図２】実施形態による改装サッシの縦断面図である。
【図３】実施形態による改装サッシの横断面図である。
【図４】図２に示す改装サッシの上枠部分の拡大図である。
【図５】図２に示す改装サッシの下枠部分の拡大図である。
【図６】図３に示す改装サッシの縦枠部分の拡大図である。
【図７】図６に示す当接リブと既設下枠８との装着状態を示す要部断面斜視図である。
【発明を実施するための形態】
【００１２】
以下、本発明の実施形態によるカバー部材を備えた改装サッシ(建具)及び改装サッシの施工方法について、図１乃至図７に基づいて説明する。
図１に示す本実施形態による建物の改装サッシ１は屋内と屋外を仕切る壁部（外壁）２の開口部３に設けられたサッシを改装する際に用いられている。改装サッシ１の改装は、既設サッシ５内に納めた既設の障子（不図示）が撤去され、既設サッシ５のサッシ枠６（以下、既設枠６とする）は撤去されずに残された状態で施工される。本実施形態では、既設枠６の屋内側に開口部３の縁部に沿って額縁２７が設けられている。
既設枠６は、見付け方向（壁部２に沿った水平方向）に延在する既設上枠７及び既設下枠８と、縦方向に配設された左右の既設縦枠９，１０と、からなる四角形枠状を有している。
【００１３】
新設された改装サッシ１は、新設のサッシ枠１２（以下、新設枠１２とする）と、サッシ枠１２に納められる新設の外障子２５及び内障子２６（図２、図３参照）とを有している。新設枠１２は既設枠６の内側に取り付けられている。見付け方向に延在する新設上枠１５及び新設下枠１６と、縦方向に配設された左右の新設縦枠１７，１８と、からなる四角形枠状を有している。なお、既設枠６と新設枠１２との間には気密を行う気密材(図示せず)がそれぞれ設置されている。
【００１４】
また、新設枠１２の外側には既設枠６の屋外側を覆うためのカバー部材１３が設置されている。カバー部材１３は見付け方向に延在する上枠カバー部材２０及び下枠カバー部材２１と、縦方向に配設された左右一対の縦枠カバー部材２２，２３と、からなる四角形枠状を有している。左右の縦枠カバー部材２２，２３は上枠カバー部材２０及び下枠カバー部材２１の両端部外側に延びて四角形枠状を形成している。また、アングルカバーは、上枠アングルカバー２９、下枠アングルカバー３０、縦枠アングルカバー３１、３２が四方組みされた状態で、屋内側から差込まれてねじ固定されている。そして、各アングルカバーの屋内側端部は額縁２７に当接され、その屋内側に設けた補助部材に係止される。なお、各アングルカバーの屋内側端部と額縁２７との間に隙間があっても良く、その場合、補助部材によって隙間を隠すことができる。
本実施形態による改装サッシ１は、図２及び図３に示すように、既設枠６が壁部２と同等な屋外側位置に設置されていて半外付枠であるが、内付枠に構成してもよい。
【００１５】
次に実施形態による改装サッシ１の構造を具体的に説明する。
図２及び図３に示すように、四角形枠状をなす金属製の既設枠６の屋内側には額縁２７が四角形枠状に設置されている。新設枠１２は金属製の新設上枠１５の屋内側に樹脂製の上枠アングルカバー２９、新設下枠１６の屋内側に樹脂製の下枠アングルカバー３０、左右の新設縦枠１７，１８の屋内側に樹脂製の縦枠アングルカバー３１、３２を樹脂枠としてそれぞれ設置している。
外障子２５と内障子２６はそれぞれアルミ合金等の金属框とその屋内側に設置された樹脂框とで形成された複層障子であり、改装サッシ１は複層サッシである。外障子２５と内障子２６は二層ガラス等の複層ガラスをそれぞれ収納している。既設枠６内に収納された従来の外障子と内障子が例えば単層ガラスであったため、改装サッシ１に改修することで断熱性を向上できる。
【００１６】
次に上枠における既設上枠７と新設上枠１５と上枠カバー部材２０の設置構造について図２及び図４により説明する。
改装サッシ１の上枠において、既設上枠７は段付き形状で段付き部７ａの屋内側に額縁２７が設置されてねじ固定されており、屋外側端部は新設の外障子２５側に向けて屈曲されて下方に延びる既設屋外側端部７ｂを形成している。既設上枠７の既設屋外側端部７ｂは最も屋外側に形成されており、この既設屋外側端部７ｂと段付き部７ａとの間に取り外した既設障子用の既設外ガイドレール７ｃ、既設内ガイドレール７ｄが所定間隔で下方に垂下している。
【００１７】
そして、既設上枠７の内側（下側）には新設枠１２の新設上枠１５が設置されている。新設上枠１５は見込み方向に延びる板状の基部１５ａを有しており、その屋外側端部には下方に屈曲する新設網戸ガイドレール１５ｂが形成されている。新設網戸ガイドレール１５ｂの見込み方向屋内側には新設外ガイドレール１５ｃと新設内ガイドレール１５ｄが順次下方に延びて形成されている。
基部１５ａの見込み方向中間部分には上方に延びる連結ガイド１５ｅが形成され、既設上枠７の下部に固定された下地材２８に固定ねじｎ１によって連結されている。基部１５ａの基端部は固定ねじｎ２によって下地材２８に連結されている。固定ねじｎ１はシール材でシールされている。
【００１８】
新設上枠１５の屋内側端部には係止片１５ｆが設けられている。樹脂製の上枠アングル２９ａは係止片１５ｆに嵌合しており、しかも新設上枠１５の屋内側端部から見込み方向屋外側に延びて新設内ガイドレール１５ｄの屋内側の面と下端部とを覆っている。上枠アングル２９ａの屋内側端部には額縁２７との隙間を覆う上枠アングルカバー２９が設置されており、上枠アングル２９ａと上枠アングルカバー２９とはねじで固定されている。
上枠アングルカバー２９は、その屋内側端部が上方に延びて下地材２８を覆って額縁２７の下面に当接している。なお、上枠アングルカバー２９の屋内側端部は、額縁２７の下面に当接していなくてもよく、その際、上枠アングルカバー２９の屋内側端部と額縁２７との隙間を補助部材で屋内側から被覆していてもよい。
【００１９】
新設上枠１５に設置された新設網戸ガイドレール１５ｂは新設網戸３３の上桟に形成した溝状のレール受け３３ａ内に受け入れられている。同様に、新設上枠１５の新設外ガイドレール１５ｃを受け入れる外障子２５のレール受け２５ａと、新設内ガイドレール１５ｄを受け入れる内障子２６のレール受け２６ａとが形成されている。
そして、既設上枠７の屋外側には、既設上枠７を覆うための断面略コの字状の上枠カバー部材２０が設置されている。上枠カバー部材２０は一方の長尺の側部２０ａが既設上枠７と新設上枠１５との間で基部１５ａ上に延びていて、基部１５ａとの間に例えばスポンジ等からなる止水材３４が設置されている。上枠カバー部材２０の一方の側部２０ａの先端側には所定間隔で切断可能な凹溝ｖが形成され、既設上枠７と新設上枠１５の間への進入長さを調整可能とした。
【００２０】
上枠カバー部材２０の他方の短尺の側部２０ｂはその端部に上部開口を有するボックス部２０ｃが形成され、ボックス部２０ｃの底部２０ｄとその屋内側の下地ブロック３５とが固定ねじｎ３で連結されている。下地ブロック３５は固定ねじｎ４によって壁部２に固定されている。なお、下地ブロック３５はなくても良く、その場合にはボックス部２０ｃの底部２０ｄは壁部２に直接当接して固定される。
また、ボックス部２０ｃの上部開口にはねじカバー４９が補助カバーとして嵌合されている。ボックス部２０ｃと下地ブロック３５と壁部２との間をシール材３６で封止している。なお、上枠カバー部材２０において、両側の側部２０ａ、側部２０ｂとその間に設けた頂部とでカバー本体部を形成する。他のカバー部材でも同様である。
【００２１】
次に下枠における既設下枠８と新設下枠１６と下枠カバー部材２１の設置構造について図２及び図５に基づいて説明する。
既設下枠８は額縁２７にねじｎ５等で固定された屋内側端部８ａから既設屋外側端部８ｂに向けて下方に降下する傾斜面８ｃを形成している。既設屋外側端部８ｂは略鉛直な端面を形成している。既設下枠８の傾斜面８ｃには見込み方向に所定間隔で屋外側から既設外レール８ｄと既設内レール８ｅとが順次上方に起立して形成されている。
【００２２】
図５において、既設下枠８の内側（上側）には新設下枠１６が設置されている。新設下枠１６は、外障子２５及び内障子２６の下側に設置された板状の基部１６ａと、基部１６ａの屋外側端部から下側に突出する屋外側端部１６ｂとを備えている。基部１６ａの屋内側で分岐されて既設下枠８側に延びる分岐基部１６ｃを備えており、分岐基部１６ｃは屋外側で屋外側端部１６ｂに連結されている。
基部１６ａの屋外側端部１６ｂの近傍から上側に突出する新設網戸レール１６ｄと、新設網戸レール１６ｄの屋内側で上側に突出する新設外レール１６ｅと、その屋内側で上側に突出する新設内レール１６ｆとを備えている。
【００２３】
分岐基部１６ｃには更に分岐して下方に延びる固定片１６ｇが形成され、この固定片１６ｇは躯体または額縁２７に固定された下地材３７にねじｎ６で固定されている。ねじｎ６はシール材でシールされている。
新設下枠１６の屋内側端部には上側に突出するカバー係止部１６ｈが設置されている。樹脂製の下枠アングル３０ａは新設下枠１６のカバー係止部１６ｈに嵌合している。しかも、下枠アングル３０ａの屋内側端部には額縁２７との隙間を覆う下枠アングルカバー３０が設置され、下枠アングル３０ａと下枠アングルカバー３０とはねじで固定されている。
下枠アングルカバー３０は、その屋内側端部が下方に延びて下地材３７を覆っている。下枠アングルカバー３０の屋内側端部は、額縁２７の上面に当接していてもよい。また、下枠アングルカバー３０の屋内側端部と額縁２７との隙間を補助部材で屋内側から被覆していてもよい。
【００２４】
また、新設下枠１６に設置された新設網戸レール１６ｄには、新設網戸３３の下桟に形成した溝状の下部レール受け３３ｂ内に設けた網戸用戸車３８が走行可能に載置されている。同様に、新設下枠１６の新設外レール１６ｅは、外障子２５の下部レール受け２５ｂ内に延びて外戸車３９が走行可能に載置され、新設内レール１６ｆは内障子２６の下部レール受け２６ｂ内に延びて内戸車４０が走行可能に載置されている。
【００２５】
そして、既設下枠８の屋外側には、既設下枠８を覆うための断面略コの字状の下枠カバー部材２１が設置されている。下枠カバー部材２１は一方の長尺の側部２１ａが既設下枠８と新設下枠１６との間で分岐基部１６ｃの下側に延びていて、分岐基部１６ｃとの間に例えばスポンジ等からなる止水材４２が設置されている。一方の側部２１ａの先端側に所定間隔で切断可能な凹溝ｖを形成し、既設下枠８と新設下枠１６の間への進入長さを調整可能とした。
下枠カバー部材２１の他方の短尺の側部２１ｂはその端部に上部開口を有するボックス部２１ｃが形成され、ボックス部２１ｃの底部２１ｄとその屋内側の下地ブロック４３とがねじｎ７で連結されている。下地ブロック４３はなくてもよく、その場合には、ボックス部２１ｃの底部２１ｄは壁部２に直接当接して固定される。更に下地ブロック４３は固定ねじｎ８によって壁部２に固定されている。ボックス部２１ｃの上部開口にはねじカバー４９が嵌合している。
【００２６】
図２で示すように、既設下枠８の既設屋外側端部８ｂは、後述する既設縦枠９，１０の屋外側端部より屋外側に突出した形状を有している。下枠カバー部材２１では、この既設屋外側端部８ｂを受け入れる凹部２１ｅが形成されている。
なお、図２及び図５において、上枠カバー部材２０及び下枠カバー部材２１よりも屋外側に突出して縦枠カバー部材２２，２３が上下方向に設置されている。この縦枠カバー部材２２，２３には既設下枠８の既設屋外側端部８ｂを逃げるための後述する切り欠け部４８ａがそれぞれ形成されている。
【００２７】
次に図３及び図６に基づいて、既設縦枠９，１０及び新設縦枠１７，１８に設置された縦枠カバー部材２２、２３の構造について説明する。なお、既設縦枠９，１０と新設縦枠１７，１８と縦枠カバー部材２２、２３は構造が略左右対称に表れるため、図６に示す一方側の縦枠構造によって代表して説明する。
図３において例えば右側に設置された既設縦枠９は、例えば板状の基部９ａが額縁２７にねじｎ９等で固定された既設屋内側端部９ｂから既設屋外側端部９ｃに向けて例えば階段状に拡幅する形状を有している。本実施形態では既設屋外側端部９ｃは既設縦枠９において最も屋外側に突出しており、既設下枠８の最も屋外側に突出する既設屋外側端部８ｂよりも若干屋内側に引っ込んだ位置に設置されている。既設屋外側端部９ｃの水平方向外側には屋外から引っ込んだ端面が形成され、シール部材による目地を介して壁部２に連結されている。
【００２８】
既設縦枠９の内側（外障子２５及び内障子２６側）に設置された新設縦枠１７は、見込み方向に延びる板状の基部１７ａとその長手方向中間部分で既設縦枠９方向に延びる固定片部１７ｂとを備えている。固定片部１７ｂは躯体または額縁２７に固定された下地材４４にねじｎ１０で固定されている。基部１７ａの固定片部１７ｂより屋内側には内側に突出する突出片１７ｃが突出形成され、この突出片１７ｃに内障子２６の戸先側框が進入して当接可能とされている。
新設縦枠１７の屋内側端部には、内側に突出するカバー係止部１７ｄが設置されている。樹脂製の縦枠アングル３１ａは新設縦枠１７のカバー係止部１７ｄに嵌合している。縦枠アングル３１ａの屋内側端部には、額縁２７との隙間を覆う縦枠アングルカバー３１が設置され、縦枠アングル３１ａと縦枠アングルカバー３１とは、ねじで固定されている。
縦枠アングルカバー３１は、その屋内側端部が水平方向に延びて下地材４４を覆っている。縦枠アングルカバー３１の屋内側端部は、額縁２７の側面に当接していてもよい。また、縦枠アングルカバー３１の屋内側端部と額縁２７との隙間を補助部材で屋内側から被覆していてもよい。
【００２９】
また、既設縦枠９の屋外側には、既設縦枠９を覆うための断面略コの字状の縦枠カバー部材２２が設置されている。縦枠カバー部材２２は一方の長尺の側部２２ａが既設縦枠９と新設縦枠１７との間で基部１７ａと所定長さ重なる位置まで延びていて、基部１７ａとの間に例えばスポンジ等からなる止水材４６が設置されている。また、一方の側部２２ａの先端側に所定間隔で切断可能な凹溝ｖを形成し、既設縦枠９と新設縦枠１７の間への進入長さを調整可能とした。
縦枠カバー部材２２の他方の短尺の側部２２ｂはその端部に上部開口を有するボックス部２２ｃが形成されている。縦枠カバー部材２２によって、既設縦枠９を屋外側から覆い隠すことができる。ボックス部２２ｃの底部２２ｄには既設縦枠９の既設屋外側端部９ｃに捩じ込まれる固定ねじｎ１１が挿通して取り付けられている。底部２２ｄにおいて、固定ねじｎ１１の両側には例えば板状の当接リブ４８、４８が突出して取り付けられ、先端が既設屋外側端部９ｃに当接可能とされている。
【００３０】
縦枠カバー部材２２の他方の側部２２ｂに設けたボックス部２２ｃとボックス部２２ｃの底部２２ｄに設けた固定ねじｎ１１と当接リブ４８とはカバー装着部５２を構成する。このカバー装着部５２におけるボックス部２２ｃの上部開口にねじカバー４９が装着される。このカバー装着部５２の上下端部の開口には雨水等の浸入を防ぐための端部キャップ５０が嵌合されている。
縦枠カバー部材２２とカバー装着部５２は既設縦枠９に沿って上下方向に延びており、しかも一方の長尺の側部２２ａの下端部には既設下枠８の既設屋外側端部８ｂを挿入させる切欠部５７が形成されている(図１参照)。そして、既設縦枠９の既設屋外側端部９ｃに対して既設下枠８の既設屋外側端部８ｂの方が突出している。
【００３１】
そのため、カバー装着部５２の当接リブ４８を既設屋外側端部９ｃの面に当接させて固定ねじｎ１１で固定する際、既設下枠８と干渉するので、干渉する部分の当接リブ４８を図６に示すカット線Ｋで一部を切除して切り欠け部４８ａを形成するようにした。これによって、カバー装着部５２の当接リブ４８が既設下枠８の既設屋外側端部８ｂと切り欠け部４８ａによって装着して配設されるため、縦枠カバー部材２２を既設屋外側端部８ｂと干渉することなく取り付けることができる。
なお、既設下枠８の既設屋外側端部８ｂと切り欠け部４８ａとの間は隙間なく嵌合してもよいが隙間があってもよく、隙間はシール材で埋めることができる。カバー装着部５２の取り付け状態で、ボックス部２２ｃ及び当接リブ４８の外側にシール部材５３を設けてシールした。
【００３２】
なお、上述した説明では、既設下枠８の既設屋外側端部８ｂに対する縦枠カバー部材２２の下端側での取付構造について説明したが、既設上枠７の既設屋外側端部７ｂが既設縦枠９，１０より突出している場合には同様な干渉を生じるおそれがあり、縦枠カバー部材２２の上端側にも当接リブ４８に切り欠け部４８ａを構成してもよい。
改装サッシ１について、一方の既設縦枠９及び新設縦枠１７に設けた縦枠カバー部材２２の構造について説明したが、他方の既設縦枠１０及び新設縦枠１８に設けた縦枠カバー部材２３においても同様な構造を有している。そのため、図３では新設縦枠１８に設けた縦枠カバー部材２３について同様な符号を付して説明を省略する。
【００３３】
本実施形態によるカバー部材１３及び改装サッシ１は上述した構成を備えており、次に改装サッシ１におけるカバー部材１３の施工方法について説明する。
まず、図２及び図３において、既設枠６から既設の外障子と内障子を取り外した状態で、既設上枠７の内側に新設上枠１５を取り付け、新設上枠１５を固定ねじｎ１、ｎ２等で下地材２８に固定する。また、既設下枠８の内側に新設下枠１６を取り付け、新設下枠１６を固定ねじｎ６等で下地材３７に固定する。
また、左右の既設縦枠９，１０の内側にも同様に新設縦枠１７，１８を取り付けて基部１７ａ，１８ａや固定片部１７ｂ、１８ｂを固定ねじｎ１０等で下地材４４にそれぞれ固定する。
【００３４】
次に、上枠カバー部材２０、下枠カバー部材２１、左右の縦枠カバー部材２２、２３を四方組させて屋外側から一体に装着する。
即ち、図４に示すように、上枠カバー部材２０を、既設上枠７を覆うように屋外側から装着させ、長尺の一方の側部２０ａを既設上枠７と新設上枠１５との間に挿入させ、短尺の他方の側部２０ｂを既設上枠７の外側の壁部２に下地ブロック３５を介してボックス部２０ｃを着座させ、底部２０ｄから固定ねじｎ３によって下地ブロック３５に固定する。一方の側部２０ａと新設上枠１５の基部１５ａとの間に止水材３４を接着等で固定する。次いで、ボックス部２０ｃ及び下地ブロック３５の外側と壁部２との間をシール材３６で止水する。
同様に、図５に示すように、下枠カバー部材２１を、既設下枠８を覆うように屋外側から装着させ、長尺の一方の側部２１ａを既設下枠８と新設下枠１６との間に挿入させ、短尺の他方の側部２１ｂのボックス部２０ｃを既設下枠８の外側の壁部２に下地ブロック４３を介して着座させ、固定ねじｎ７によって下地ブロック４３に固定する。一方の側部２１ａと新設下枠１６の分岐基部１６ｃとの間に止水材４２が設けられている。
【００３５】
また、図６及び図７に示すように、縦枠カバー部材２２、２３を、既設縦枠９を覆うように屋外側から装着させ、長尺の一方の側部２２ａを既設縦枠９と新設縦枠１７との間に挿入させ、短尺の他方の側部２２ｂを既設縦枠９の既設屋外側端部９ｃ上に着座させる。このとき、縦枠カバー部材２２，２３の長尺の側部２２ａ、２３ａの下端部内側に切欠部５７が形成されているため、切欠部５７に既設下枠８の既設屋外側端部８ｂが配置され、干渉しない。しかし、縦枠カバー部材２２、２３の短尺の側部２２ｂ、２３ｂの下端部外側に設けたカバー装着部５２の当接リブ４８が既設屋外側端部８ｂと干渉するため、当接リブ４８の干渉する部分を図６で示すカット線Ｋに沿って切除し、切り欠け部４８ａを形成する。
【００３６】
そして、当接リブ４８の切り欠け部４８ａを既設下枠８の既設屋外側端部８ｂに装着させることで、縦枠カバー部材２２，２３のカバー装着部５２を隙間なく既設下枠８の既設屋外側端部８ｂにそれぞれ装着して不陸を吸収する。これにより、縦枠カバー部材２２，２３の他方の側部２２ｂ、２３ｂを、既設縦枠９、１０の既設屋外側端部９ｃ、１０ｃと既設下枠８の既設屋外側端部８ｂとに当接できる。
その後、ねじｎ１１を既設屋外側端部９ｃ、１０ｃに締め込み、ねじカバー４９をボックス部２２ｃの上部開口に嵌合させる。そして、ボックス部２２ｃ及び当接リブ４８の外側をシール部材５３によって水密に封止する。
次に、上枠アングルカバー２９、下枠アングルカバー３０、縦枠アングルカバー３１、３２が四方組みされた状態で屋内側から差込み、ねじで固定する。
【００３７】
上述したように、本実施形態による改装サッシ１及びその施工方法によれば、既設枠６の内側に新設枠１２を装着固定し、屋外側から目視可能な既設枠６の部分をカバー部材１３で被覆する際、既設下枠８の既設屋外側端部８ｂが既設枠６の他の部分より突出する等の不陸があったとしても、縦枠カバー部材２２，２３における各カバー装着部５２の当接リブ４８を一部切除して切り欠け部４８ａを形成することで装着できる。
しかも、当接リブ４８は一対の板状であるから切断が容易であり、従来のカバー部材と比較して容易に切除できる。また、当接リブ４８は固定ねじｎ１１の両側に設けられて同じ長さであるから、切り欠け部４８ａに切除しても安定して既設屋外側端部８ｂに当接でき、固定ねじｎ１１の締め込み作業が安定する。
【００３８】
以上、本発明の実施形態による建具用の改装サッシ１とその施工方法について詳細に説明したが、本発明は上述の実施形態に限定されることはなく、本発明の要旨を逸脱しない範囲で適宜の変更や置換等が可能であり、これらはいずれも本発明に含まれる。以下に、本発明の変形例等について説明するが、上述の実施形態と同一または同様な部分、部材には同一の符号を用いて説明を省略する。
【００３９】
例えば、上述した実施形態では、既設枠６の既設下枠８が他の部分より突出して不陸を形成する例について説明したが、既設上枠７が他の部分より突出していても同様に縦枠カバー部材２２，２３における各一対の当接リブ４８の一部を切除することで、不陸を吸収して隙間なく装着して取り付けできる。そのため、縦枠カバー部材２２，２３の当接リブ４８に切り欠け部４８ａを形成することで、既設縦枠９，１０と既設下枠８、既設上枠７の既設横枠との両方に装着できる。
また、既設縦枠９，１０が既設上枠７や既設下枠８の既設横枠より突出して不陸を形成する場合には、上記カバー装着部５２の構造を縦枠カバー部材２２、２３に代えて上枠カバー部材２０及び／または下枠カバー部材２１の側部２０ｂ、２１ｂの端部に形成してもよい。この場合には既設縦枠９、１０の屋外側端部が他の部分より突出する等の不陸があっても、既設上枠７や既設下枠８に取り付ける上枠カバー部材２０及び下枠カバー部材２１の側部２０ｂ、２１ｂに設けた各カバー装着部５２の当接リブ４８を一部切除することで不陸を吸収して装着できる。
【００４０】
また、上述した実施形態では、カバー装着部５２として、固定具である固定ねじｎ１１を挿通させる受け部としてボックス部２２ｃの底部２２ｄを設け、その下面に当接部材として当接リブ４８を設けると共に反対側の上部開口にねじカバー４９を嵌合させる構成を採用したが、少なくとも固定ねじｎ１１と当接リブ４８を取り付ける受け部が設けられていればよく、ボックス部２２ｃやねじカバー４９は必ずしも必要ない。
また、ボックス部２２ｃの底部２２ｄに固定ねじｎ１１の両側に２枚の当接リブ４８を設けたが、当接リブ４８はいずれか一方だけでもよい。
【００４１】
なお、上述の実施形態による改装サッシ１では、上枠カバー部材２０が両側の側部２０ａ及び側部２０ｂとその間に設けた頂部とでカバー本体部を形成しているが、下枠カバー部材２１、左右の縦枠カバー部材２２，２３においても同様な構成のカバー本体を有している。
また、実施形態では、縦枠カバー部材２２のカバー装着部５２の底部２２ｄを受け部として固定ねじｎ１１等の固定具を挿通して既設縦枠９に固定するようにしたが、不陸な被固定部として既設縦枠９に限定されることなく、躯体や外壁等の壁面や他の面でもよい。
【符号の説明】
【００４２】
１  改装サッシ
２  壁部
３  開口部
６  既設枠
７  既設上枠
８  既設下枠
９、１０  既設縦枠
１２  新設枠
１３  カバー部材
１５  新設上枠
１６  新設下枠
１７、１８  新設縦枠
２０  上枠カバー部材
２１  下枠カバー部材
２２，２３  縦枠カバー部材
２２ｄ  底部(受け部)
２５  外障子
２６  内障子
４８  当接リブ
４８ａ  切り欠け部
５２  カバー装着部
【図１】
2018080546.tif 000003
【図２】
2018080546.tif 000004
【図３】
2018080546.tif 000005
【図４】
2018080546.tif 000006
【図５】
2018080546.tif 000007
【図６】
2018080546.tif 000008
【図７】
2018080546.tif 000009